(57)【要約】【課題】円筒形の貯湯タンクとこの貯湯タンクを収納する角形の外装との間に介在する支持体21において、外径寸法が異なる３種類の貯湯タンクに共用できるようにする。【解決手段】支持体21には、外径寸法が異なる３種類の貯湯タンク毎に、それら貯湯タンクの外周面にそれぞれ当接して支持可能とする３種類の支持面26L，26M，26Sを設ける。３種類の支持面26L，26M，26Sのうち貯湯タンクの種類に対応した１つを、貯湯タンクの外周面に向けて貯湯タンクと外装との間に介在させる。【選択図】図１
2009063178.tif 000002
【特許請求の範囲】
【請求項１】
円筒形の貯湯タンクとこの貯湯タンクを収納する角形の外装との間に介在される支持体であって、
外径寸法が異なる前記貯湯タンクの種類毎にそれら貯湯タンクの外周面にそれぞれ当接して支持可能とする複数種類の支持面が異なる方向に向けて設けられ、これら複数の支持面のうち前記貯湯タンクの種類に対応した１つの支持面を前記貯湯タンクの外周面に向けて前記貯湯タンクと前記外装との間に介在される
ことを特徴とする支持体。
【請求項２】
１つの角部を頂点として互いに直角に隣接する３つの当接面が設けられ、これら３つの当接面のうち２つの当接面を異なる組み合わせで外装の隅部内面に当接させて配置する３方向の配置を選択可能とし、
これら３方向の配置毎に、貯湯タンクの外周面を支持する３種類の支持面が設けられている
ことを特徴とする請求項１記載の支持体。
【請求項３】
支持面には、適合する貯湯タンクの種類が表示されている
ことを特徴とする請求項１または２記載の支持体。
【請求項４】
円筒形の貯湯タンクと、
この貯湯タンクを収納する角形の外装と、
前記貯湯タンクと前記外装との間に介在される請求項１ないし３いずれか記載の支持体と
を具備していることを特徴とする給湯装置。
【発明の詳細な説明】
【技術分野】
【０００１】
本発明は、円筒形の貯湯タンクとこの貯湯タンクを収納する角形の外装との間に介在される支持体、およびこの支持体を用いた給湯装置に関する。
【背景技術】
【０００２】
従来、給湯装置は、円筒形の貯湯タンクを例えば角形の外装に収納しており、貯湯タンクの下部を外装の底板に固定される脚部によって支えられている。
【０００３】
このような給湯装置は、縦形で高さが高いため、施工場所などに輸送する場合には、給湯装置の上下方向を横に寝かせた状態でトラックなどに積載して輸送するようにしている。
【０００４】
しかし、貯湯タンクの下部は脚部によって外装の底板に支えられているものの、貯湯タンクの上部側は外装に対して支えられていないため、横に寝かせた際や輸送時の振動により貯湯タンクの上部側が外装に衝突して、外装を変形させてしまうおそれがある。
【０００５】
そこで、貯湯タンクの上部を金属ステーで外装に固定したり（例えば、特許文献１参照。）、貯湯タンクと外装との間に発泡スチロール製支持体を介在させ、貯湯タンクの上部側を外装に対して支えている。
【特許文献１】特開２００４−１４４４４７号公報（第４−５頁、図１−２）
【発明の開示】
【発明が解決しようとする課題】
【０００６】
しかしながら、貯湯タンクの上部を金属ステーで外装に固定する場合には、部品自体の価格が高く、ねじ止めなども必要なために取付作業に手間がかかり、コストが高くなる。
【０００７】
また、貯湯タンクと外装との間に発泡スチロール製支持体を介在させる場合、発泡スチロール製支持体は、貯湯タンクの外周面を支えるために、貯湯タンクの外周面の曲面形状に合わせた曲面形状の支持面が形成されている。そのため、外径寸法が異なる貯湯タンクの種類毎に、支持面の曲面形状が異なるので、専用の発泡スチロール製支持体をそれぞれ用いる必要があり、発泡スチロール製支持体の種類が多く、これら発泡スチロール製支持体を製作する金型種類も多くなり、製作費用が高くなり、コストが高くなる。
【０００８】
本発明は、このような点に鑑みなされたもので、外径寸法が異なる複数種類の貯湯タンクに共用でき、種類を削減できるとともに安価にできる支持体、およびこの支持体を用いた給湯装置を提供することを目的とする。
【課題を解決するための手段】
【０００９】
請求項１記載の支持体は、円筒形の貯湯タンクとこの貯湯タンクを収納する角形の外装との間に介在される支持体であって、外径寸法が異なる前記貯湯タンクの種類毎にそれら貯湯タンクの外周面にそれぞれ当接して支持可能とする複数種類の支持面が異なる方向に向けて設けられ、これら複数の支持面のうち前記貯湯タンクの種類に対応した１つの支持面を前記貯湯タンクの外周面に向けて前記貯湯タンクと前記外装との間に介在されるものである。
【００１０】
請求項２記載の支持体は、請求項１記載の支持体において、１つの角部を頂点として互いに直角に隣接する３つの当接面が設けられ、これら３つの当接面のうち２つの当接面を異なる組み合わせで外装の隅部内面に当接させて配置する３方向の配置を選択可能とし、これら３方向の配置毎に、貯湯タンクの外周面を支持する３種類の支持面が設けられているものである。
【００１１】
請求項３記載の支持体は、請求項１または２記載の支持体において、支持面には、適合する貯湯タンクの種類が表示されているものである。
【００１２】
請求項４記載の給湯装置は、円筒形の貯湯タンクと、この貯湯タンクを収納する角形の外装と、前記貯湯タンクと前記外装との間に介在される請求項１ないし３いずれか記載の支持体とを具備しているものである。
【発明の効果】
【００１３】
請求項１記載の支持体によれば、外径寸法が異なる貯湯タンクの種類毎にそれら貯湯タンクの外周面にそれぞれ当接して支持可能とする複数種類の支持面を異なる方向に向けて設けているため、これら複数の支持面のうち、貯湯タンクの種類に対応した１つの支持面を貯湯タンクの外周面に向けて貯湯タンクと外装との間に介在させるだけで、貯湯タンクを運搬時や設置後も確実に支持できるうえに、外径寸法が異なる複数種類の貯湯タンクに共用でき、支持体の種類を削減できるとともに安価にできる。
【００１４】
請求項２記載の支持体によれば、請求項１記載の支持体の効果に加えて、３つの当接面のうち２つの当接面を異なる組み合わせで外装の隅部内面に当接させて配置する３方向の配置を選択することにより、これら３方向の配置毎に設けられている３種類の各支持面で外径寸法が異なる３種類の貯湯タンクの外周面を支持でき、３種類の貯湯タンクに共用できる。
【００１５】
請求項３記載の支持体によれば、請求項１または２記載の支持体の効果に加えて、支持面には、適合する貯湯タンクの種類を表示しているため、各支持面の適合する貯湯タンクの種類を容易に判別でき、誤使用を防止できる。
【００１６】
請求項４記載の給湯装置によれば、請求項１ないし３いずれか記載の支持体を用いるため、１つの支持体を外径寸法が異なる複数種類の貯湯タンクの支持に共用できる。
【発明を実施するための最良の形態】
【００１７】
以下、本発明の一実施の形態を、図面を参照して説明する。
【００１８】
図７に示すように、給湯装置11は、円筒形の貯湯タンク12、およびこの貯湯タンク12を収納する角形の外装13を備えており、上下方向の高さが高い縦形に形成されている。
【００１９】
貯湯タンク12は、この貯湯タンク12の下部から給水され、例えばヒートポンプユニットによって貯湯タンク12内の水が所定の温度の湯に沸き上げられ、貯湯タンク12の上部から湯を給湯する。この貯湯タンク12の下部は、外装13の底板15に固定された複数の脚部14によって支えられている。
【００２０】
外装13は、底板15、天板16および四方の側板17を有する四角形箱状に形成され、四方の側板17は互いに直角に隣接されている。
【００２１】
この給湯装置11を例えば施工場所などに輸送する場合には、図２および図３に示すように、給湯装置11の上下方向を横に寝かせた状態でトラックなどに積載して輸送するようにしている。このとき、外装13の側板17で構成される４つの隅部内面のうち、下側となる２つの隅部内面に対の支持体21を配置し、これら支持体21を貯湯タンク12と外装13との間に介在させて貯湯タンク12の上部側を支持する。
【００２２】
図１に示すように、支持体21は、例えば発泡スチロール製で、１つの角部22を頂点として互いに直角に隣接する３つの当接面23，24，25が設けられ、これら３つの当接面23，24，25のうち２つの当接面を異なる組み合わせで、つまり２つの当接面23，24、２つの当接面23，25、２つの当接面24，25の組み合わせで、これら２つの当接面を外装13の隅部内面に当接させて配置する３方向の配置を選択可能としている。
【００２３】
これら３方向の配置毎に、貯湯タンク12の外周面を支持する３種類の支持面26L，26M，26Sがそれぞれ設けられている。つまり２つの当接面23，24に対向するように支持面26Lが、２つの当接面23，25に対向するように支持面26Mが、２つの当接面24，25に対向するように支持面26Sがそれぞれ設けられている。
【００２４】
これら支持面26L，26M，26Sは、外径寸法が異なる貯湯タンク12の種類毎、例えば図４ないし図６に示すように大径の貯湯タンク12L、中径の貯湯タンク12M、小径の貯湯タンク12Sの種類毎に、それら貯湯タンク12の外周面にそれぞれ面接触して支持可能とする曲率に形成されており、支持面26Lが大径の貯湯タンク12L用、支持面26Mが中径の貯湯タンク12M用、支持面26Sが小径の貯湯タンク12S用とされている。
【００２５】
各支持面26L，26M，26Sには、適合する貯湯タンク12L，12M，12Sの種類であって、例えば貯湯タンク12L，12M，12Sの型式や適合する径などが表示されている。
【００２６】
そして、図４に示すように、大径の貯湯タンク12Lを用いた給湯装置11の場合、２つの支持体21を用い、各支持体21の大径用の支持面26Lが貯湯タンク12Lの外周面に対向するように、各支持体21の２つの当接面23，24が外装13の隅部内面に当接する方向で配置する。これにより、２つの支持体21が貯湯タンク12Lと外装13との間に介在し、給湯装置11を横に寝かせた状態で運搬する際に、貯湯タンク12Lの上部側を確実に支持できる。
【００２７】
また、図５に示すように、中径の貯湯タンク12Mを用いた給湯装置11の場合、２つの支持体21を用い、各支持体21の中径用の支持面26Mが貯湯タンク12Mの外周面に対向するように、各支持体21の２つの当接面23，25が外装13の隅部内面に当接する方向で配置する。これにより、２つの支持体21が貯湯タンク12Mと外装13との間に介在し、給湯装置11を横に寝かせた状態で運搬する際に、貯湯タンク12Mの上部側を確実に支持できる。
【００２８】
また、図６に示すように、小径の貯湯タンク12Sを用いた給湯装置11の場合、２つの支持体21を用い、各支持体21の小径用の支持面26Sが貯湯タンク12Sの外周面に対向するように、各支持体21の２つの当接面24，25が外装13の隅部内面に当接する方向で配置する。これにより、２つの支持体21が貯湯タンク12Sと外装13との間に介在し、給湯装置11を横に寝かせた状態で運搬する際に、貯湯タンク12Sの上部側を確実に支持できる。
【００２９】
また、運搬した給湯装置11を縦にして設置した後の運用時においても、貯湯タンク12と外装13との間に支持体21が介在するため、この支持体21により、貯湯タンク12のがたつきを防止できるとともに、地震などによる貯湯タンク12の上部の振れを抑制し、耐震性も向上できる。
【００３０】
このように、支持体21は、外径寸法が異なる貯湯タンク12L，12M，12Sの種類毎にそれら貯湯タンク12L，12M，12Sの外周面にそれぞれ当接して支持可能とする３種類の支持面26L，26M，26Sを異なる方向に向けて設けているため、これら支持面26L，26M，26Sのうち、貯湯タンク12L，12M，12Sの種類に対応した１つを貯湯タンク12L，12M，12Sの外周面に向けて貯湯タンク12L，12M，12Sと外装13との間に介在させるだけで、貯湯タンク12L，12M，12Sを適切に支持できるうえに、外径寸法が異なる３種類の貯湯タンク12L，12M，12Sに共用できる。そのため、支持体21の種類を削減できるとともに、支持体21を製造する金型も１つで済み、安価にできる。
【００３１】
特に、３つの当接面23，24，25のうちの２つを異なる組み合わせで外装13の隅部内面に配置する３方向の配置を選択することにより、これら３方向の配置毎に設けられている３種類の各支持面26L，26M，26Sで外径寸法が異なる３種類の貯湯タンク12L，12M，12Sの外周面を支持でき、３種類の貯湯タンク12L，12M，12Sに共用できる。
【００３２】
また、各支持面26L，26M，26Sには、適合する貯湯タンク12L，12M，12Sの種類を表示しているため、各支持面26L，26M，26Sの適合する貯湯タンク12L，12M，12Sの種類を容易に判別でき、誤使用を防止できる。
【００３３】
なお、支持体21は３種類の支持面26L，26M，26Sを備えたが、これに限らず、例えば、支持体を四角形とし、この四角形の６面のうち隣り合う２面に２種類の支持面を形成してもよく、この場合、支持体の配置は、外装13の隅部内面に限らず、外装13の１つの側板17の中央部と貯湯タンク12との間に配置することもできる。
【図面の簡単な説明】
【００３４】
【図１】本発明の一実施の形態を示す支持体の斜視図である。
【図２】同上支持体を用いた給湯装置を横に寝かせた状態の側面方向から見た断面図である。
【図３】同上給湯装置を横に寝かせた状態の貯湯タンクの上部側から見た断面図である。
【図４】同上貯湯タンクの大中小の径のうち大径種類の貯湯タンクを支持体で支える説明図である。
【図５】同上貯湯タンクの大中小の径のうち中径種類の貯湯タンクを支持体で支える説明図である。
【図６】同上貯湯タンクの大中小の径のうち小径種類の貯湯タンクを支持体で支える説明図である。
【図７】同上給湯装置の使用状態の側面方向から見た断面図である。
【符号の説明】
【００３５】
11    給湯装置
12    貯湯タンク
13    外装
21    支持体
22    角部
23，24，25    当接面
26L，26M，26S   支持面
【図１】
2009063178.tif 000003
【図２】
2009063178.tif 000004
【図３】
2009063178.tif 000005
【図４】
2009063178.tif 000006
【図５】
2009063178.tif 000007
【図６】
2009063178.tif 000008
【図７】
2009063178.tif 000009